(57)【特許請求の範囲】
【請求項１】
ピット内のダイナモ本体の主軸の両端がベースに立設の軸受によって軸支されているとともに、前記ダイナモ本体の主軸の両端にローラが連結され、これらローラの周面を、ピットカバーに形成の開口部から露出させて、ローラの露出周面に試験車両の駆動輪を載置し、この駆動輪を試験車両に搭載のエンジンで駆動してローラを回転させることで、試験車両の動的な走行性能試験を実車走行状態で行えるようにしたシャシダイナモメータ装置であって、前記ダイナモ本体の主軸の両端を軸支する軸受にパイプを介して連通されている軸受用のグリス注入ニップル及びダイナモ本体が備えているモータにパイプを介して連通されているモータ用のグリス注入ニップルを前記ローラ間でダイナモ本体の上方部に集約させ、これら集約されたグリス注入ニップルを、それらのグリス注入口を上方に向けて、前記ダイナモ本体の上部を覆い開閉可能に構成されたカバー部分の裏面近傍に配置し固定していることを特徴とするシャシダイナモメータ装置。
【発明の詳細な説明】
【０００１】
【発明の属する技術分野】
本発明は、シャシダイナモメータ装置に関するものである。
【０００２】
【従来の技術】
上記のシャシダイナモメータ装置は、ピット内のダイナモ本体に連結されたローラの周面を、ピットカバーに形成の開口部から露出させて、ローラの露出周面に試験車両の駆動輪を載置し、この駆動輪を試験車両に搭載のエンジンで駆動して、試験車両が実際の路面を走行している状態を模擬的に現出させ、試験車両の動的な走行性能試験を実車走行状態で行えるようにしたものである。
【０００３】
このシャシダイナモメータ装置は、ダイナモ本体の主軸を軸支する軸受用及びモータ用の多数のグリス注入ニップルを備えており、これらニップルへのグリス注入に際しては、作業者がピット内に入り込んで、狭いスペースでグリスガンを操作したりしている。
【０００４】
【発明が解決しようとする課題】
しかし、狭いスペースでの上記のグリス注入作業は、非常に厄介で作業性が悪く、かつ、時間がかゝる上に作業環境も悪い点で問題があった。
【０００５】
本発明は、かゝる実情に鑑みて成されたものであって、多数のグリス注入ニップルに対するグリス注入作業を、作業環境ならびに作業性を改善して、短時間で楽に行えるようにすることを目的としている。
【０００６】
【課題を解決するための手段】
上記の目的を達成するために本発明は、ピット内のダイナモ本体の主軸の両端がベースに立設の軸受によって軸支されているとともに、前記ダイナモ本体の主軸の両端にローラが連結され、これらローラの周面を、ピットカバーに形成の開口部から露出させて、ローラの露出周面に試験車両の駆動輪を載置し、この駆動輪を試験車両に搭載のエンジンで駆動してローラを回転させることで、試験車両の動的な走行性能試験を実車走行状態で行えるようにしたシャシダイナモメータ装置であって、前記ダイナモ本体の主軸の両端を軸支する軸受にパイプを介して連通されている軸受用のグリス注入ニップル及びダイナモ本体が備えているモータにパイプを介して連通されているモータ用のグリス注入ニップルを前記ローラ間でダイナモ本体の上方部に集約させ、これら集約されたグリス注入ニップルを、それらのグリス注入口を上方に向けて、前記ダイナモ本体の上部を覆い開閉可能に構成されたカバー部分の裏面近傍に配置し固定した点に特徴がある。
【０００７】
上記の特徴構成によれば、試験車両を別のスペースに移動させれば、ピットカバーの上面には何物も存しない状況が容易に現出されることから、上記のダイナモ本体上部のカバー部分を開放することで、多数のグリス注入ニップルに対するグリス注入作業を、ピットカバー上の広い床上空間で効率良く短時間で楽に行うことができ、加えて、ピット内作業が無くなることから、作業環境ならびに作業性の改善も達成される。
【０００８】
【発明の実施の形態】
以下、本発明の実施の形態を図面に基づいて説明する。図１および図２はピットＰ内に納めるように設置されたシャシダイナモメータ装置を示し、図中の１は図示しないモータを備えたダイナモ本体で、主軸２の両端がベース３に立設の軸受４，４によって軸支されている。
【０００９】
５，５は前記主軸２の両端に取り付けられたローラ、６はローラ５，５のトルクを測定するためのロードセルで、ダイナモケース７の横一側に連設されたブラケット８とベース３側のブラケット３ａとの間に設けられている。
【００１０】
９はピットカバーで、前記ローラ５，５を露出させるための開口部１０が形成されており、この開口部１０を通してローラ５，５の露出周面に試験車両の駆動輪を載置して、この駆動輪を試験車両に搭載のエンジンで駆動し、ローラ５，５を回転させることで、試験車両の動的な走行性能試験が実車走行状態で行われるようになっている。
【００１１】
上記のピットカバー９は、複数個に分割されて梁フレーム１０ａに載置されており、少なくとも５枚のカバー部分９ａ〜９ｅは開閉可能に構成されている。即ち、ダイナモ本体１の上部を覆うカバー部分９ａと、これの両側のカバー部分９ｂ，９ｃと、ステップ１１を備えたピットＰへの出入り口を閉じるバー部分９ｄ，９ｅとは、一端側がヒンジを介して梁フレーム１０ａに枢着され、かつ、他端側に把手が設けられて、開閉可能に構成されているのである。
【００１２】
１４は中間フレームで、前記ダイナモ本体１を囲うように平面視で方形状に枠組みされ、前記軸受４，４の保持ブロック１２に延設された張り出しフレーム１５，１５によって吊り下げ保持されている。
【００１３】
１６，１６は軸受用のグリス注入ニップルで、それぞれパイプ１７，１７を介して軸受４，４に連通されている。１８，１８は上記の図示しないモータ用のグリス注入ニップルで、それぞれパイプを介してモータに連通されており、かつ、これらのグリス注入ニップル１６，１６、１８，１８は、グリス注入口を上方に向けて、前記ダイナモ本体１の上部を覆うカバー部分９ａの裏面近傍に位置するように、前記梁フレーム１０ａに連設のブラケット１９に固定されている。
【００１４】
２０は上記の図示しないモータ用ケーブルの端子２１を収容したボックス、２２は冷却ファン２３や、その他の電気機器のケーブル端子２４を収容したボックス、２５はロードセル６のアンプ基板２６を収容したボックスで、それぞれ上部に開閉蓋２７を備えており、このうちの端子収容ボックス２０は、カバー部分９ｂの裏面近傍に位置して中間フレーム１４に設けられ、別の端子収容ボックス２２と基板収容ボックス２５とは、カバー部分９ｃの裏面近傍に位置して中間フレーム１４に設けられている。
【００１５】
２８は圧力計、２９は圧力スイッチ、３０は圧力調整器で、これらはカバー部分９ｃの裏面近傍に位置する状態で、基板収容ボックス２５に連設のブラケット３１に設けられている。
【００１６】
上記の構成によれば、グリス注入ニップル１６，１６、１８，１８を集約させて、これを開閉可能に構成したカバー部分９ａの裏面近傍に配置し、また、モータ用ケーブル端子２１を集約させてボックス２０に納め、これを開閉可能に構成したカバー部分９ｂの裏面近傍に配置し、更に、別のケーブル端子２４を集約させてボックス２２に納め、ロードセル６のアンプ基板２６についても、これをボックス２５に納めて、これらを開閉可能に構成したカバー部分９ｃの裏面近傍に配置し、更には、空圧機器である圧力計２８と圧力スイッチ２９と圧力調整器３０を集約させて、これらを上記カバー部分９ｃの裏面近傍に配置したことで、これら各種多数のメンテナンス対象物に対するメンテナンス作業を、カバー部分９ａ〜９ｃを開放することで、ピットカバー９上の広い床上空間で効率良く短時間で楽に行うことができ、加えて、ピット内作業が無くなることから、作業環境ならびに作業性の改善も達成される。
【００１７】
尚、前記冷却ファン２３を覆うカバー部分９ｆに、矩形状のフィルター挿抜用の開口３２を形成し、かつ、この開口３２を閉じるカバー部分３２ａに、フィルター３３を吊り下げ保持して、このフィルター３３の交換やクリーニング作業などをピット外で行えるようにしている。
【００１８】
また、前記ローラ５，５のディスクブレーキ３４，３４についても、これをローラ５の上部側に配置して、ダイナモ本体１上部のカバー部分９ａを開放することで、このブレーキ３４を床上空間から取り外せるようにし、ブレーキ３４に対するメンテナンス作業を床上空間で行えるように考慮している。
【００１９】
【発明の効果】
以上説明したように本発明によれば、多数のグリス注入ニップルをそれらのグリス注入口を上方に向けてピットカバーの裏面近傍に集約して配置し、かつ、これら集約配置されたグリス注入ニップルに相対峙するカバー部分を開閉可能に構成したことで、多数のニップルに対するグリス注入作業を、ピットカバー上の広い床上空間で効率良く短時間で楽に行うことができるようになり、加えて、ピット内作業が無くなることから、グリス注入の作業環境ならびに作業性の改善も達成される。
【図面の簡単な説明】
【図１】ピットカバーを透視して示したシャシダイナモメータ装置の平面図である。
【図２】主要部を破断したシャシダイナモメータ装置の側面図である。
【符号の説明】
１…ダイナモ本体、２…主軸、４…軸受、５…ローラ、９…ピットカバー、９ａ〜９ｃ…カバー部分、１０…開口部、１６，１８…グリス注入ニップル、２１，２４…ケーブル端子、２８…圧力計、Ｐ…ピット。
【図１】
0003586382.tif 000002
【図２】
0003586382.tif 000003